(57)【要約】【課題】大きな操作ボタンが配置できると共に、操作性の優れた遠隔操作装置を提供する。【解決手段】赤外線発光素子８と基板５を内蔵する外郭１０と、運転切／入ボタン１５と、前記運転切／入ボタン１５の下方に位置すると共にその押し下げ動作に応じて動作する接点７を有し、前記運転切／入ボタン１５の一側の左右に軸１３を設け、前記左右の軸１３を前記外郭１０の一部で回動自在に支持するもので、運転切／入ボタン１５のサイズを大きくしても、運転切／入ボタン１５は軸１３を中心に回転動作するため、運転切／入ボタン１５の端面押しの場合も接点７は確実に基板５におしつけられて、確実に電気信号を送信することができる。【選択図】図１
2005197917.tif 000002
【特許請求の範囲】
【請求項１】
赤外線発光素子と基板を内蔵する外郭と、複数の操作ボタンと、前記操作ボタンの下方に位置すると共にその押し下げ動作に応じて動作する接点を有し、前記操作ボタンの少なくとも一つの一側の左右に軸を設け、前記左右の軸を前記外郭の一部で回動自在に支持することを特徴とする遠隔操作装置。
【請求項２】
文字板を設け、左右の軸を外郭の一部と前記文字板で回動自在に挟持することを特徴とする請求項１記載の遠隔操作装置。
【請求項３】
液晶表示材を設け、軸を設けた操作ボタンの一つを運転切/入ボタンとし、前記運転切/入ボタンを前記液晶表示材に近接させて配置したことを特徴とする請求項１又は２記載の遠隔操作装置。
【発明の詳細な説明】
【技術分野】
【０００１】
本発明は、電気機器等に信号を送信して、その電気機器の遠隔操作を行なう遠隔操作装置に関するものである。
【背景技術】
【０００２】
従来の遠隔操作装置について、図２を用いて説明する。
【０００３】
図２に示すように、従来の遠隔操作装置は、操作ボタン２、３が操作し易いように表面に現れるようにケ−ス扉１を貫通して配置され、この操作ボタン２、３を押下操作するとその下方に配置された可撓性の材料から形成された中間ボタン６の下面の中央に配設された接点７が基板５に押しつけられて、電気信号を発生するよう構成されている。そして、操作ボタン２、３、中間ボタン６、接点７は押下操作方向に一線に並んで配置されている構成が一般的であった（例えば、特許文献１参照）。
【特許文献１】特開平０８−１３０７８１号公報
【発明の開示】
【発明が解決しようとする課題】
【０００４】
しかしながら、前記従来の構成では、操作ボタン２、３、中間ボタン６、接点７は押下操作方向に一線に並んで配置されている構成なので、操作性を向上させるための大きな操作ボタンを配置出来ないという課題を有していた。
【０００５】
本発明は、前記従来の課題を解決するもので、大きな操作ボタンの配置を可能とし、操作性の優れた遠隔操作装置を提供することを目的とする。
【課題を解決するための手段】
【０００６】
前記従来の課題を解決するために、本発明の遠隔操作装置は、赤外線発光素子と基板を内蔵する外郭と、複数の操作ボタンと、前記操作ボタンの下方に位置すると共にその押し下げ動作に応じて動作する接点を有し、前記操作ボタンの少なくとも一つの一側の左右に軸を設け、前記左右の軸を前記外郭の一部で回動自在に支持するもので、操作ボタンのサイズを大きくしても、操作ボタンは軸を中心に回転動作するため、操作ボタンの端面押しの場合でも接点は確実に基板におしつけられて、電気信号を送信することができる。また操作ボタンの軸側は、従来のように上下動するものではないのでその部分での隙間が無くなり内部へのゴミ浸入も防止できる。
【発明の効果】
【０００７】
本発明の空気調和機の遠隔操作装置は、サイズの大きな操作ボタン配置することが可能となり、操作性に優れている。
【発明を実施するための最良の形態】
【０００８】
第１の発明は、赤外線発光素子と基板を内蔵する外郭と、複数の操作ボタンと、前記操作ボタンの下方に位置すると共にその押し下げ動作に応じて動作する接点を有し、前記操作ボタンの少なくとも一つの一側の左右に軸を設け、前記左右の軸を前記外郭の一部で回動自在に支持するもので、操作ボタンのサイズを大きくしても、操作ボタンは軸を中心に回転動作するため、操作ボタンの端面押しの場合でも接点は確実に基板におしつけられて、電気信号を送信することができる。また操作ボタンの軸側は、従来のように上下動するものではないのでその部分での隙間が無くなり内部へのゴミ浸入も防止できる。
【０００９】
第２の発明は、特に、第１の発明の遠隔操作装置に文字板を設け、左右の軸を外郭の一部と前記文字板で回動自在に挟持するもので、軸を有する操作ボタンの取り付け構成が簡単になるので、組み立て工数が削減できる。
【００１０】
第３の発明は、特に、第１又は第２の発明の遠隔操作装置に液晶表示材を設け、軸を設けた操作ボタンの一つを運転切/入ボタンとし、前記運転切/入ボタンを前記液晶表示材に近接させて配置したもので、操作時の表示内容の確認が容易になり、また操作しやすくなり操作性向上を図ることができる。
【００１１】
以下、本発明の実施の形態について、図面を参照しながら説明する。なお、この実施の形態によって本発明が限定されるものではない。
【００１２】
（実施の形態１）
図１（ａ）は、本発明の第１の実施の形態における遠隔操作装置の正面図、（ｂ）は同遠隔操作装置の断面図である。なお、従来例と同一部分については同一符号を付してその説明を省略する。
【００１３】
図１において、本実施の形態における遠隔操作装置９は、ケ−ス上１０ａとケ−ス下１０ｂからなる外郭１０と、複数の操作ボタン１７と、操作ボタン１７の１つで電気機器の運転の入／切を遠隔操作するための運転切/入ボタン１５と、文字板１１と、赤外線透過樹脂板１６等で構成され、前記外郭１０には、赤外線発光素子８と、液晶表示材１２と、基板５と、運転切/入ボタン１５で押される中間ボタン６と、中間ボタン６の下方に配置された接点７と、赤外線発光素子８や制御素子（図示せず）の電源となる電池１４が内蔵されている。
【００１４】
運転切/入ボタン１５の一側の左右の側面には軸１３が設けられ、その軸１３はケ−ス上１０ａと文字板１１で回転自在に挟持されている。また、中間ボタン６は、運転切/入ボタン１５の軸１３と反対側の下面の下方に配置されている。
【００１５】
以上のように構成された遠隔操作装置９の動作、作用を以下に説明する。
【００１６】
運転切/入ボタン１５を押すと、運転切/入ボタン１５が軸１３を回動中心に回動すると共に、その下方にある中間ボタン６が押され、続いて接点７が基板５に押され、制御素子に信号が送られる。信号を受けた制御素子は、一定の信号に置き換え、赤外線発光素子８より電気機器に信号を送信することにより電気機器の遠隔操作が行なわれる。
【００１７】
以上のように、本実施の形態によれば、運転切/入ボタン１５のボタンサイズを大きくしても、運転切/入ボタン１５が軸１３を中心に回転動作することにより、運転切/入ボタン１５の端面押しの場合も確実に接点７が基板５におしつけられて、電気信号を送信することができる。
【００１８】
また、運転切/入ボタン１５の軸１３側は、従来のように上下動するものではないので、文字板１１と運転切/入ボタン１５との間に隙間を設ける必要がなく、これにより、運転切／入ボタン１５と文字板１１との間の隙間から内部へごみが浸入することがなく、勿論ごみ浸入によりボタン操作が不可能になるという事も無い。
【００１９】
また、本実施の形態では、運転切/入ボタン１５を大きくできると共に、運転切/入ボタン１５の中間ボタン６を押す部分が軸１３と反対側、即ち液晶表示材１２と反対側に位置するので、その分液晶表示材１２側に寄せて配置することが可能になり、操作しやすくなり操作性向上を図ることができる。
【００２０】
また、運転切/入ボタン１５の左右の軸１３は、ケ−ス上１０ａと文字板１１で挟み込んで回転動作するようにしているので、運転切／入ボタン１５のぐらつきも防止でき、確実に電気信号を送信することができる。
【産業上の利用可能性】
【００２１】
以上のように、本発明にかかる遠隔操作装置は、装置全体の大きさを変えることなく操作ボタンのサイズを大きくでき、操作性がよいので、各種電気機器の遠隔操作装置に適用できる。
【図面の簡単な説明】
【００２２】
【図１】（ａ）本発明の実施の形態１における遠隔操作装置の平面図、（ｂ）同遠隔操作装置の断面図
【図２】従来の遠隔操作装置の部分断面図
【符号の説明】
【００２３】
５    基板
６    中間ボタン
７    接点
８    赤外線発光素子
９    遠隔操作装置
１０    外郭
１０ａ    ケ−ス上
１０ｂ    ケ−ス下
１１    文字板
１２    液晶表示材
１３    軸
１５    運転切／入ボタン
【図１】
2005197917.tif 000003
【図２】
2005197917.tif 000004